(57)【要約】【課題】  機器を板状部に取付ける際、板状部の材料に制約を受けることがないとともに、取付け作業に手間を要しない機器取付け構造を提供する。【解決手段】  機器が取付けられる板状部６３に被取付開口６４を穿孔し、前記機器は、前記被取付開口６４を介して板状部６３の後方側に収容されるハウジング２と、該ハウジング２の前端部に設けられて前記被取付開口６４の周縁の板状部６３の前面に当接するフランジ部３とで主体が構成され、前記ハウジング２の側面に、機器を板状部６３に取付ける際に上記被取付開口６４の端縁６４ａを乗り越えるように弾性変形すると共に、機器を板状部６３に取付けた状態において被取付開口６４の後方側に係止する弾性体５を設けた。【選択図】図１
2008051328.tif 000002
【特許請求の範囲】
【請求項１】
機器が取付けられる板状部に被取付開口を穿孔し、前記機器は、前記被取付開口を介して板状部の後方側に収容されるハウジングと、該ハウジングの前端部に設けられて前記被取付開口の周縁の板状部の前面に当接するフランジ部とで主体が構成され、前記ハウジングの側面に、機器を板状部に取付ける際に上記被取付開口の端縁を乗り越えるように弾性変形すると共に、機器を板状部に取付けた状態において被取付開口の後方側に係止する弾性体を設けて成ることを特徴とする機器取付け構造。
【発明の詳細な説明】
【技術分野】
【０００１】
本発明は機器を板状部に取付ける機器取付け構造に関する。
【背景技術】
【０００２】
従来から、例えばスピーカのような機器を取付け対象に取付けるにあたり、被取付部となる板状部に被取付開口を形成し、板状部の表側より被取付開口内に機器を挿入して取付ける方法が採られている（例えば特許文献１参照）。この場合、機器の板状部への固定は、ネジによる固定、あるいは挟持部材による固定、等の固定方法が挙げられる。
【０００３】
しかしながら、ネジによる固定の場合には、図８（ａ）に示すように、被取付部となる壁面の板状部９の強度が必要となって、その材料に制約を受けるもので、このため板状部９をアクリル等の硬い材料で形成しようとすると今度はクラックを生じる可能性があって、ネジ下穴等の前加工が必要となり、作業に手間を要するものであった。図中９１は被取付開口、８は機器、８１は機器のフランジ部、８２はネジ、ナットの固着具を示す。
【０００４】
また、挟持部材による固定の場合には、図８（ｂ）に示すように、機器本体の前面側のフランジ部８１と後面側の挟持部材８３とで板状部９を前後から挟持するのであるが、この時挟持部材８３を板状部９の後側に配置して作業する必要があり、作業に手間を要するものであった。
【特許文献１】特開平１０−１１７４１７号公報
【発明の開示】
【発明が解決しようとする課題】
【０００５】
本発明は上記従来の問題点に鑑みて発明したものであって、その目的とするところは、機器を板状部に取付ける際、板状部の材料に制約を受けることがないとともに、取付け作業に手間を要しない機器取付け構造を提供することを課題とする。
【課題を解決するための手段】
【０００６】
上記課題を解決するために本発明に係る機器取付け構造は、機器（実施形態のスピーカ１）が取付けられる板状部６３に被取付開口６４を穿孔し、前記機器は、前記被取付開口６４を介して板状部６３の後方側に収容されるハウジング２と、該ハウジング２の前端部に設けられて前記被取付開口６４の周縁の板状部６３の前面に当接するフランジ部３とで主体が構成され、前記ハウジング２の側面に、機器を板状部６３に取付ける際に上記被取付開口６４の端縁６４ａを乗り越えるように弾性変形すると共に、機器を板状部６３に取付けた状態において被取付開口６４の後方側に係止する弾性体５を設けて成ることを特徴とするものである。
【０００７】
このような構成とすることで、機器を板状部６３に取付ける際、弾性体５が弾性変形して被取付開口６４の端縁６４ａを乗り越え、その後弾性変形が解除されて弾性体５が被取付開口６４に係止されて固定されるため、ネジによる固定や挟持部材による固定を行わずに済むものである。
【発明の効果】
【０００８】
本発明では、弾性体により固定するようにしたことで、ネジによる固定や挟持部材による固定の場合のように、被取付部となる板状部の強度が必要となってその材料に制約を受けたり、挟持部材を板状部の後方側に配置して作業に手間を要するといったことがないものである。
【発明を実施するための最良の形態】
【０００９】
以下、本発明を添付図面に示す実施形態に基いて説明する。本発明の機器としては特に限定されないが、本実施形態ではスピーカ１として説明する。また、取付ける対象としても特に限定されないが、本実施形態ではトイレルームの便器６に取付ける場合について説明する。
【００１０】
本実施形態における便器６は、従来より一般的な陶器製ではなく、図６に示すように合成樹脂製のもので、便器６のボウル部６１の周囲にスカート状のカバー部６２が形成される。そして、このカバー部６２にスピーカ１からなる機器を取付けるものである。カバー部６２は、平面視において略円形又は楕円形あるいはその他の曲線形からなる板状部６３で主体が構成され、更に本実施形態では板状部６３はその縦断面における形状も曲線形を有している。そして、このカバー部６２の板状部６３にスピーカ１が取付けられる被取付開口６４が穿孔される。
【００１１】
スピーカ１は特に限定されないものであり、本実施形態では、図２、図４に示すように主に中高音を出力する中高音出力部１１と、主に低音を出力する音響ポートからなる低音出力部１２とを有するバスレフ式のスピーカ１を使用するものとする。このスピーカ１は、電気振動を機械振動に変換する音発生部（図示せず）を収納したハウジング２と、ハウジング２に取付けられるスピーカカバー４とで主体が構成される。ハウジング２は略矩形箱状をしたもので、その前端部の周囲から側方にフランジ部３が連設される。ハウジング２は、内部に上記音発生部を収納すると共に前面に上記中高音出力部１１と低音出力部１２とを備えたものである。なお本実施形態では、ハウジング２は、図２等に示すように、音発生部を収納すると共に中高音出力部１１及び低音出力部１２を有する主ハウジング２ａと、照明用ＬＥＤ（図示せず）を備えた副ハウジング２ｂの二つのハウジング２からなり、上側に主ハウジング２ａ、下側に副ハウジング２ｂとなるように並べて配置される。フランジ部３は図４に示すように主ハウジング２ａの前端部の周囲のみに形成されており、副ハウジング２ｂはフランジ部３又は主ハウジング２ａに嵌込みやその他の係止、ねじ固定、接着・溶着等によって固定される。フランジ部３は正面視において、並設した主ハウジング２ａ及び副ハウジング２ｂよりも大きく形成してあり、全周に亘ってフランジが形成されるようになっており、副ハウジング２ｂの照明用ＬＥＤに対応する部分には開口３１が形成してある。なお本実施形態のフランジ部３は、図６（ｂ）に示すように、便器６の板状部６３に沿った曲面状に形成してある。そして、ハウジング２に備えた中高音出力部１１と低音出力部１２に異物が接触・侵入しないようにするためスピーカカバー４を設けてある。
【００１２】
スピーカカバー４は、図２に示すように、上記フランジ部３の前面側の端部に取付けられる板状をしたもので、正面視における外郭形状はフランジ部３と略同じとなっている。このスピーカカバー４は、主ハウジング２ａに設けた中高音出力部１１及び低音出力部１２に対応する部分に横格子４１を備えており、横格子４１により異物の接触・侵入を阻止すると共に、横格子４１間の隙間４２から音を放出するようになっている。また、スピーカカバー４の副ハウジング２ｂの照明用ＬＥＤに対応する部分は開口４３してある。このスピーカカバー４は、嵌込みやその他の係止、ねじ固定、接着等によってフランジ部３に固定されるか、または一体に成形されるものでもよい。
【００１３】
このスピーカ１は、ネジによる固定や挟持部材による固定ではなく、弾性体５により被取付部となる板状部６３に固定するもので、以下に説明する。
【００１４】
弾性体５は、図２、図３に示すように、本実施形態では薄い金属板を折曲して形成されるもので、ハウジング２の後面に当接する後片５１と、該後片５１から連設されてハウジング２の側面に当接する側片５２と、該側片５２から連設されて板バネとして機能する弾性突出部５３とからなる。後片５１は、正面視略矩形状をした平板状のもので、ハウジング２の後面（背面）に当接し、このハウジング２の後面の一側端辺にて折曲されてこの部分より前側が側片５２となっている。側片５２は側面視略矩形状をした平板状のもので、前端辺にて折曲されてこの部分から先が弾性突出部５３となっている。弾性突出部５３は、側片５２の前端辺から外斜め後方に折曲されると共に、その途中で更に内斜め後方に折曲されて、平面視において側方外側に向けて略山形状となるもので、各折曲部における弾性力によってハウジング２の側面からの弾性突出部５３の突出量が弾性的に変化するものである。この弾性体５は、ハウジング２の上、左右あるいは下の側面のいずれかに少なくとも一つ設けられるもので、本実施形態では左右の側面にそれぞれ設けてある。
【００１５】
この弾性体５は、本実施形態では圧入及びネジ固定によりハウジング２に固定される。図３に示すように、該弾性体５の側片５２には、前端部付近の上下に固定片５４をそれぞれ連設し、一方、ハウジング２の側面の前記固定片５４に対応する部分には、後面視略Ｌ字状をしてその内部の溝２２に前記固定片５４が嵌入される被嵌入片２１が上下にその溝２２が互いに対向するように設けてある。弾性体５は、その側片５２を該側片５２が取付けられるハウジング２の側面に沿って後方より前方に向けてスライドさせ、側片５２の上下の固定片５４をハウジング２の上下の被嵌入片２１の溝２２に嵌入する。ここで、固定片５４には膨らみ部５５が形成してあり、膨らみ部５５が前記溝２２の内壁に突っ張った状態で圧入される。そして、弾性体５の前方へのスライドによって後片５１がハウジング２の後面に当接するとスライドを停止し、後片５１に形成した固着具挿通孔５６にネジ等の固着具５７を挿通してハウジング２に固着し、弾性体５のハウジング２への固定が完了する。
【００１６】
次に、弾性体５を取付けたスピーカ１の板状部６３への取付けについて説明する。図６（ｂ）、図５に示すように、便器６のカバー部６２をなす板状部６３の左右両側の斜め前部にそれぞれ上述した被取付開口６４が形成してある。被取付開口６４は、ハウジング２の正面視における形状よりも若干大きな形状としてあり、スピーカ１のハウジング２が挿通可能となっている。そして、ハウジング２に弾性体５が取付けられた状態では、弾性体５の弾性突出部５３に力がかかっていない場合（すなわち自然状態の場合）、弾性突出部５３の頂部５３ａのハウジング２からの突出量が大きくて、ハウジング２の弾性突出部５３を設けた部分の幅Ｌ１（すなわち本実施形態では左右の弾性突出部５３の頂部５３ａ間の距離、図１参照）が、この部分に対応する被取付開口６４の幅Ｌ２よりも大きい状態となる。しかし弾性突出部５３はハウジング２側に押圧されるとそれに伴って弾性変形して突出量が小さくなり、ハウジング２の弾性突出部５３を設けた部分の幅Ｌ１がこの部分に対応する被取付開口６４の幅Ｌ２よりも小さくなってハウジング２が挿通される。本実施形態では弾性突出部５３が側方外側に略山形状となっているため、図１（ａ）に示すようにハウジング２を板状部６３の前方側（図中の下側）より被取付開口６４に挿入していけば、被取付開口６４の端縁６４ａに弾性突出部５３が当接してハウジング２側に押圧され、弾性突出部５３の頂部５３ａのハウジング２からの突出量が小さくなって被取付開口６４の端縁６４ａを乗り越え、更に挿入していくと今度は弾性突出部５３の頂部５３ａのハウジング２からの突出量が大きくなっていく。そして、スピーカ１のフランジ部３が被取付開口６４の周縁の板状部６３の前面に当接して挿入が終了すれば、図１（ｂ）に示すように、弾性突出部５３は板状部６３の後方側で自然状態に戻って被取付開口６４に係止固定され、ハウジング２が被取付開口６４から前方に脱落するのが防止され、スピーカ１の板状部６３への取付けが完了する。なお本実施形態では、フランジ部３は被取付開口６４の周縁の板状部６３の前面にパッキンＰを介して当接する。またなお本実施形態では、板状部６３には被取付開口６４の端縁６４ａより後方側に向けて、係止リブ６４ｂが突設してあり、この係止リブ６４ｂの後端に弾性突出部５３が係止される。
【００１７】
また、板状部６３に取付けたスピーカ１を取外すには、スピーカ１を前方に引抜くことで、上述した取付ける場合とスピーカ１の移動方向が逆となるだけで、図１（ｂ）に示す状態から略山形状の弾性突出部５３が被取付開口６４の端縁６４ａを乗り越えて、図１（ａ）に示す状態のように板状部６３の前方側に引出され、板状部６３から取外される。なお本実施形態では、図４に示すように中高音出力部１１と低音出力部１２とを囲うように取外しリブ１３がハウジング２の前方に突設してあり、この取外しリブ１３を掴んでスピーカ１を前方に引抜くことが可能となっている。
【００１８】
このような構成によれば、機器を板状部６３に取付けるにあたって、弾性体５が弾性変形して被取付開口６４の端縁６４ａを乗り越え、その後元の自然状態に戻って弾性体５が被取付開口６４に係止されて固定され、一つの動作にてスピーカ１を取付けることが可能となって、作業性を向上させることができる。また、ネジによる固定の場合のように、被取付部となる板状部６３の強度が必要となって、その材料に制約を受けることはないと共に、ネジ下穴等の前加工が必要となって作業に手間を要することもない。また、挟持部材による固定の場合のように、挟持部材を板状部６３の後側に配置して作業する必要があって作業に手間を要するといったこともない。また、ハウジング２を板状部６３に取付けるためのネジのような固着具や挟持部材を削減できてコスト低減が図られる。
【００１９】
また、弾性体５の固着具５７によるハウジング２への固定を、弾性体５の後片５１に形成した固着具挿通孔５６を介してハウジング２の後面に固着して行うことで、ハウジング２の側面に固着具５７を固着せずに済み、ハウジング２を被取付開口６４に挿通させる際に固着具５７が引っ掛かることがない。
【図面の簡単な説明】
【００２０】
【図１】本発明の概略説明図であり、（ａ）はスピーカを板状部に取付ける前の状態を示す水平断面図であり、（ｂ）はスピーカを板状部に取付けた状態を示す水平断面図である。
【図２】スピーカ全体の前方側から見た分解斜視図である。
【図３】スピーカのハウジング及びフランジ部と、弾性体の後方側から見た分解斜視図である。
【図４】スピーカのハウジング及びフランジ部に弾性体を取付けた状態の前方側から見た斜視図である。
【図５】スピーカのハウジング及びフランジ部、スピーカカバー、便器の板状部の前方側から見た分解斜視図である。
【図６】（ａ）は前方側から見た便器の概略斜視図であり、（ｂ）は（ａ）の要部の斜視図である。
【図７】スピーカを板状部に取付けた状態の後方側から見た斜視図である。
【図８】（ａ）（ｂ）はそれぞれ従来例を説明する概略断面図である。
【符号の説明】
【００２１】
１    スピーカ（機器)
２    ハウジング
３    フランジ部
５    弾性体
６３  板状部
６４  被取付開口
６４ａ  端縁
【図１】
2008051328.tif 000003
【図２】
2008051328.tif 000004
【図３】
2008051328.tif 000005
【図４】
2008051328.tif 000006
【図５】
2008051328.tif 000007
【図６】
2008051328.tif 000008
【図７】
2008051328.tif 000009
【図８】
2008051328.tif 000010